(57)【要約】【課題】易開封性やリクローズ性を維持しながら、既存の製造ラインでそのまま組み立てることができるカートンを提供すること。【解決手段】底面パネル１には一方の側辺からそれと反対側の側端縁に向かうヒンジ線αにより折曲げ領域１ａが区画され、その折曲げ領域１ａの側辺に蓋側面パネル６と蓋天面パネル７とが順次連設されており、天面パネル３にはその前端部側に切離線βが設けられており、天面パネル上面に蓋天面パネル３が切離線βより前端部側を貼着領域として貼着されている。蓋天面パネル７を引っ張り上げることにより、天面パネル３が切離し線βのところで切り離され、底面パネル１のヒンジ線αを介して開封でき且つ開閉可能である。組立に際しては、ブランクをサック貼りすると同時に蓋天面パネル７の一部を天面パネル３に貼着しておくことにより、通常のカートンと同様、サック貼りしたブランクを起こして内容物の充填工程を行えばよい。【選択図】図２
2008230653.tif 000002
【特許請求の範囲】
【請求項１】
板紙からなる１枚のブランクを組み立てて形成され、天面パネルと底面パネルと一対の側面パネルとで胴部が構成されるとともに前端部と後端部とが閉じられてなるカートンであって、底面パネルの一方の側辺に側面パネル、天面パネル、側面パネル及び糊代片が順次連設されており、底面パネルには一方の側辺からそれと反対側の側端縁に向かうヒンジ線により折曲げ領域が区画され、その折曲げ領域の側辺に蓋側面パネルと蓋天面パネルとが順次連設されており、天面パネルにはその前端部側に切離線が設けられており、天面パネル上面に蓋天面パネルが切離線より前端部側を貼着領域として貼着されており、蓋天面パネルを引っ張り上げることにより、天面パネルが切離し線のところで切り離され、底面パネルのヒンジ線を介して開封でき且つ開閉可能であることを特徴とするカートン。
【請求項２】
蓋天面パネルの先端に凸形状の係止部分を設け、その係止部分が差込み可能であるスリットを天面パネルに設けたことを特徴とする請求項１に記載のカートン。
【発明の詳細な説明】
【技術分野】
【０００１】
本発明は、板紙製からなるカートンの技術分野に属し、詳しくは、菓子類や各種生活用品等の物品を収納して販売する際に好適に用いられるカートンに関するものである。
【背景技術】
【０００２】
従来より、チョコレート、ビスケット等の菓子類をはじめ、各種生活用品等の物品を収納して販売するための包装容器として、板紙製のカートン（紙箱）が一般に広く使用されている。このうち、スティック形状やブロック形状等のチョコレートやビスケット等の菓子類を収納するのに好適なものとして、例えば特許文献１に記載のような外観的に偏平状をしたカートンが用いられている。
【特許文献１】特開２００３−１７０９２９号公報
【発明の開示】
【発明が解決しようとする課題】
【０００３】
上記した特許文献１に記載のカートンは、天板の上面に貼着してある蓋板を引っ張り上げることによって容易に開封でき、しかもリクローズ性を有しているので、菓子類のように内容物を小出しするような物品を収納するのに好適である。ところが、このカートンでは、前端部を閉じる外側面板に蓋板が連設されているため、組み立てるに際しては、内容物を充填して閉じた後に、蓋板の内面を天板の上面に貼着するとともに、蓋板の両側にある各蓋側面板を箱の側面に貼着する必要があることから、既存の充填ラインでは間に合わず、組み立てるカートン形状に合わせた特殊な糊付けラインを追加する必要があり、生産性が良くないという問題点がある。
【０００４】
本発明は、このような問題点に鑑みてなされたものであり、その目的とするところは、易開封性やリクローズ性を維持しながら、既存の製造ラインでそのまま組み立てることができて生産性が良好なカートンを提供することにある。
【課題を解決するための手段】
【０００５】
上記の目的を達成するため、本発明のカートンは、板紙からなる１枚のブランクを組み立てて形成され、天面パネルと底面パネルと一対の側面パネルとで胴部が構成されるとともに前端部と後端部とが閉じられてなるカートンであって、底面パネルの一方の側辺に側面パネル、天面パネル、側面パネル及び糊代片が順次連設されており、底面パネルには一方の側辺からそれと反対側の側端縁に向かうヒンジ線により折曲げ領域が区画され、その折曲げ領域の側辺に蓋側面パネルと蓋天面パネルとが順次連設されており、天面パネルにはその前端部側に切離線が設けられており、天面パネル上面に蓋天面パネルが切離線より前端部側を貼着領域として貼着されており、蓋天面パネルを引っ張り上げることにより、天面パネルが切離し線のところで切り離され、底面パネルのヒンジ線を介して開封でき且つ開閉可能であることを特徴としている。
【０００６】
そして、上記の構成からなるカートンにおいて、蓋天面パネルの先端に凸形状の係止部分を設け、その係止部分が差込み可能であるスリットを天面パネルに設けるように構成してもよい。
【発明の効果】
【０００７】
本発明のカートンは、蓋天面パネルを引っ張り上げることで容易に開封することができるため開封性が良好であり、また開けた蓋の部分を戻して再封することができる。そして、組立に際しては、ブランクをサック貼りすると同時に蓋天面パネルの一部を天面パネルに貼着しておくことにより、通常のカートンと同様、サック貼りしたブランクを起こして内容物の充填工程を行えばよいので、特殊な糊付けラインを追加するなどの必要性はなく、既存の製造ラインをそのまま使用して組み立てることができる。
【発明を実施するための最良の形態】
【０００８】
次に、本発明の実施の形態について図面を参照しながら詳細に説明する。
【０００９】
図１は本発明に係るカートンの一例を示す斜視図、図２は図１に示すカートンを組み立てるブランクの展開図である。
【００１０】
ブランクＢは、紙器用の板紙を打ち抜いて形成されたもので、図２に示すように、底面パネル１の一方の側辺に折線ａ，ｂ，ｃ，ｄを介して狭幅の側面パネル２、広幅の天面パネル３、狭幅の側面パネル４及び糊代片５が順次連設されており、底面パネル１には一方の側辺における前方のコーナーからそれと反対側の側端縁に向かう斜め方向のヒンジ線αが形成され、このヒンジ線αにより底面パネル１の前端部側に直角三角形状の折曲げ領域１ａが区画されており、その折曲げ領域１ａの側辺に折線ｅ，ｆを介して蓋側面パネル６と蓋天面パネル７とが順次連設されている。
【００１１】
蓋側面パネル６は側面パネル２，４と略同じ横幅で、ヒンジ線αを延長した線でカットされた台形状をしており、蓋天面パネル７は天面パネル３と略同じ横幅で、ヒンジ線αの延長線上から先端が後方（図では下方）に凸形状に突き出た略三角形状になっている。また、ヒンジ線αは、折曲げやすさを考慮して押罫の途中３箇所に切線を形成したリード罫により形成されている。
【００１２】
天面パネル３には、その前端部側に三角形状の破断領域３ａを区画する切離線βが設けられている。この切離線βは、途中数カ所につなぎ箇所のある切線で形成されており、これを破断することで破断領域３ａを除去可能である。そして、天面パネル３の破断領域３ａは、蓋天面パネル７より一回り小さいサイズで、ブランクＢを箱状に組み立てた時には、蓋天面パネル７の端縁部分が後端部側にはみ出した状態で両者が重なるようになっている。そして、側面パネル４と糊代片５は切離線βを延長した線でカットされて前端部側が短くなっている。また、天面パネル３には、ブランクＢを箱状に組み立てた際に蓋天面パネル７の先端が差込み可能なスリットγが設けられている。
【００１３】
底面パネル１の前端部と後端部には折線ｇ，ｈを介して前方側面パネル８と後方側面パネル９が連設され、蓋天面パネル７の前端部には折線ｉを介して前方側面パネル１０が連設され、天面パネル３の後端部には折線ｊを介して後方側面パネル１１が連設されている。また、側面パネル２の前端部と後端部には折線ｋ，ｌを介して折込みフラップ１２，１３が連設され、蓋側面パネル６の前端部には折線ｍを介して折込みフラップ１４が連設され、側面パネル４の後端部には折線ｎを介して折込みフラップ１５が連設されている。
【００１４】
この図２に示すブランクＢを組み立てて図１に示すカートンＣを形成するが、その手順は次のようである。
【００１５】
まず、ブランクＢをサック貼りする。この場合、折線ａ，ｃで折り曲げ、底面パネル１の端縁部分に糊代片５を貼着し、さらに蓋天面パネル７を折線ｆで折り曲げ、天面パネル３の破断領域３ａと貼り合わせる。そして、充填工程では、このようにサック貼りしたブランクＢを角筒状に起こし、内容物を入れてから前端部と後端部を閉じるだけで製品とすることができる。前端部を閉じるには、折込みフラップ１２，１４を内側に折り込んでから、底面パネル１の前方側面パネル８と蓋天面パネル７の前方側面パネル１０を順に折り曲げて貼り合わせる。また、後端部を閉じるには、折込みフラップ１３，１５を内側に折り込んでから、底面パネル１の後方側面パネル９と天面パネル３の後方側面パネル１１を順に折り曲げて貼り合わせる。
【００１６】
このようにして製造されたカートンＣは、天面パネル３上面に蓋天面パネル７が切離線βより前端部側を貼着領域として貼着された状態となる。また、底面パネル１の前端部から延設する前方側面パネル８と蓋天面パネル７の前端部から延設する前方側面パネル１０との貼着によって前部が閉鎖され、底面パネル１の後端部から延設する後方側面パネル９と天面パネル３の後端部から延設する後方側面パネル１１との貼着によって後部が閉鎖された状態となる。
【００１７】
図１のカートンＣは、蓋天面パネル７における非貼着領域を引っ張り上げることにより、蓋天面パネル７との貼着領域にある天面パネル３の破断領域３ａが切離線βのところで切り離され、図３に示すように、底面パネル１の折曲げ領域１ａをヒンジ線αのところで折り曲げて前端部を開封することができる。この場合、側面パネル４とそれに隣接する天面パネル３部分は前端部側が短くなっているので、邪魔にはならない。そして、この側面パネル４とそれに隣接する天面パネル３部分を所定の長さにしておけば、その先端部分に蓋天面パネル７の内面側が当接することで閉状態を維持することができる。
【００１８】
また、図１のカートンＣでは、天面パネル３に蓋天面パネル７の先端が差込み可能なスリットγを形成してあるので、蓋天面パネル７の先端にある凸形状部分を係止部分としてそのスリットγに差し込むことにより、閉鎖状態を保持することができる。
っている。
【００１９】
以上、本発明の実施の形態について詳細に説明してきたが、本発明によるカートンは、上記実施の形態に何ら限定されるものではなく、本発明の趣旨を逸脱しない範囲において種々の変更が可能であることは当然のことである。
【００２０】
例えば、上記の例では、底面パネルの折曲げ領域を直角三角形状としたが、ヒンジ線の位置を変えて、矩形状とすることもできるし、台形状とすることもできる。また、折曲げ領域に連設する蓋側面パネルと蓋天面パネルについても設計が可能な範囲内で任意の形状とすることができる。
【００２１】
また、上記の例では、前方側面パネルを底面パネルから延設して設けたが、天面パネルから延設して設けるようにすることもできる。
【図面の簡単な説明】
【００２２】
【図１】本発明に係るカートンの一例を示す斜視図である。
【図２】図１に示すカートンを組み立てるブランクの展開図である。
【図３】図１に示すカートンを開けた状態で示す斜視図である。
【符号の説明】
【００２３】
１  底面パネル
１ａ  折曲げ領域
２  側面パネル
３  天面パネル
３ａ  破断領域
４  側面パネル
５  糊代片
６  蓋側面パネル
７  蓋天面パネル
８  前方側面パネル
９  後方側面パネル
１０  前方側面パネル
１１  後方側面パネル
１２〜１５  折込みフラップ
Ｃ  カートン
Ｂ  ブランク
ａ〜ｎ  折線
α  ヒンジ線
β  切離線
γ  スリット
【図１】
2008230653.tif 000003
【図２】
2008230653.tif 000004
【図３】
2008230653.tif 000005